(57)【要約】【課題】枠体内に配置される障子の室外側面における冷熱の伝達を抑えて、建具全体の断熱性能を向上させる。【解決手段】  上下枠材及び左右縦枠材を四周組してなり建物開口部に配置される枠体と、上下框材及び左右縦框材を四周組し内周にパネル体を配置してなり対向する一対の枠材に対して摺動開閉自在に配置される障子を備え、枠体の室外側に配置される障子を構成する框材は、パネル体を保持するガラス間口部は室内側に張り出して形成され室内側がほぼ面一に形成されている。【選択図】図５
2018168673.tif 000002
【特許請求の範囲】
【請求項１】
上下枠材及び左右縦枠材を四周組してなり建物開口部に配置される枠体と、上下框材及び左右縦框材を四周組し内周にパネル体を配置してなり対向する一対の枠材に対して摺動開閉自在に配置される障子を備え、
枠体の室外側に配置される障子を構成する框材は、パネル体を保持するガラス間口部が室内側に張り出して形成されると共に室外側がほぼ面一に形成されている
ことを特徴とする断熱サッシ。
【発明の詳細な説明】
【技術分野】
【０００１】
本発明は、ビル等の建物開口部に配置される断熱サッシに関する。
【背景技術】
【０００２】
従来、ビル等の建物開口部に配置される断熱サッシとして、金属枠体の室内側に樹脂枠体を配置してなる複合枠に対して、金属框材の室内側に樹脂框材を配置してなる複合障子を配置してなる断熱サッシが公知となっている。（特許文献１）
【先行技術文献】
【特許文献】
【０００３】
【特許文献１】特開２００６−１８８９２７号公報
【発明の概要】
【発明が解決しようとする課題】
【０００４】
前記特許文献１の建具は、室内側に樹脂材料からなる樹脂枠体および樹脂框材を配置することで、建具の室内側面からの冷熱の伝達を抑制し、断熱性能を向上させることができる。
そして、障子に配置されるパネルを内外２枚のガラスを配置した２重ガラスとして、パネル面からの冷熱の伝達を防止して断熱性を向上させていた。
しかし、パネル面の断熱性能をさらに向上させるために内外２枚のガラスの間隔を大きくしようとガラス間口を大きくすると、障子の室外側面の凹凸が大きくなって表面積が増大し、室外からの冷熱の伝達を助長することになってしまい、かえって断熱性能の向上を妨げる可能性があった。
本発明は、上記事情を鑑みたものであり、枠体内に配置される障子の室外側面における冷熱の伝達を抑えて、建具全体の断熱性能を向上させることを目的とする。
【課題を解決するための手段】
【０００５】
本発明は、上下枠材及び左右縦枠材を四周組してなり建物開口部に配置される枠体と、上下框材及び左右縦框材を四周組し内周にパネル体を配置してなり対向する一対の枠材に対して摺動開閉自在に配置される障子を備え、枠体の室外側に配置される障子を構成する框材は、パネル体を保持するガラス間口部が室内側に張り出して形成されると共に室外側がほぼ面一に形成されていることを特徴とする。
【発明の効果】
【０００６】
本発明の構成により、２重ガラス等のパネル体の見込み方向を大きくしながら、障子におけるパネル部の室外側への張り出しを抑えることができ、ガラス部への外気の接触を少なくすることで冷熱の伝達を抑えて断熱性の向上を図ることができる。
【図面の簡単な説明】
【０００７】
【図１】本発明の断熱サッシの外観姿図である。
【図２】本発明の断熱サッシの閉鎖時に内障子が配置される位置における内、外障子及び上、下枠の縦断面図である。
【図３】本発明の断熱サッシの閉鎖時に外障子が配置される位置における内、外障子及び上、下枠の縦断面図である。
【図４】本発明の断熱サッシの横断面図である。
【図５】本発明の断熱サッシの内障子の下框付近の拡大図である。
【図６】本発明の断熱サッシの外障子の下框付近の拡大図である。
【発明を実施するための形態】
【０００８】
図１ないし４を参照しながら、本発明の実施形態に係る断熱サッシについて説明する。
（断熱サッシ全体の構成）
本発明の実施形態に係る断熱サッシは、図１に示されるように、例えばビル等の建物開口部に設けられた枠体１と、枠体１に対して引き違い自在に配置された内障子２および外障子３を有している。
枠体１は、上下の横枠（上枠１１および下枠１２）と左右の竪枠１３，１４を四周に枠組みしてなり、内障子２および外障子３は、それぞれ上下の横框（上框２１，３１および下框２２，３２）と左右の竪框（２３，２４，３３，３４）を四周に框組してなり、内周にガラス等のパネル体（２５，３５）を配置して形成されている。
【０００９】
（上枠の構成）
サッシの枠体１を構成する上枠１１は、図２，３に示すように、建物開口部に固定されアルミニウム等の金属材料からなる金属上枠１１１と、金属上枠１１１の室内側見付け面に見付け（左右）方向全長に亘って配置され樹脂材料からなる樹脂枠材１１２と、内、外障子２，３の閉鎖時において金属上枠１１１の内障子２側の内周面に配置され樹脂材料からなる樹脂枠材１１３（図２）と、内、外障子２，３の閉鎖時において金属上枠１１１の外障子３側の内周面に配置され樹脂材料からなる樹脂枠材１１４（図３）を有している。
【００１０】
金属上枠１１１は、建物開口部の内周に配置されてアンカーＡ等に取り付けられる上枠本体部１１１ａと、上枠本体部１１１ａの室内側端から垂下される室内側壁部１１１ｂと、上枠本体部１１１ａの室外側端から垂下される室外側壁部１１１ｃと、上枠本体部１１１ａの中央下面付近より垂下される中央壁部１１１ｄと、室外側壁部１１１ｃと中央壁部１１１ｄの間において上枠本体部１１１ａの下面から垂設される室外側上レール１１１ｅを有している。
【００１１】
金属上枠１１１の室内側壁部１１１ｂの下端室外側面には、内障子２の上框２１の室内側面に当接する気密材ｓ１１が取付溝等によって取り付けられており、室内側壁部１１１ｂの室内側面には、樹脂枠材１１２を取り付けるための係合部１１１ｆが形成されている。
また、金属上枠１１１の中央壁部１１１ｄの下端室外側面には、外障子３の上框３１の室内側面に当接する気密材ｓ１２が取付溝等によって取り付けられており、中央壁部１１１ｄの室内側面には、樹脂枠材１１３もしくは樹脂枠材１１４を取り付けるための係合部１１１ｇが上下に二か所形成されている。
【００１２】
金属上枠１１１の室内側見付け面に配置される樹脂枠材１１２は、室内側壁部１１１ｂの係合部１１１ｆに係合されることで、室内側壁部１１１ｂの下端面から室内側面にかけて中空部１１２ａを形成しながら覆うように配置されている。
樹脂枠材１１２は、室内側壁部１１１ｂの下端面において気密材ｓ１１に当接もしくは近接するように配置されることで、金属上枠１１１の室内側壁部１１１ｂが室内側に露出することがない。そして、樹脂枠材１１２の内周室内側端には室内方向に延びる鍔部１１２ｂが形成されている。
【００１３】
内、外障子２，３の閉鎖時において金属上枠１１１の内障子２側の内周面に配置される樹脂枠材１１３は、図２に示すように、上枠本体部１１１ａの内周（下）面に沿って配置される上壁部１１３ａと、上壁部１１３ａの室外側から下方に向けて設けられる断面中空形状の室外壁部１１３ｂと、室外壁部１１３ｂの下端より室内外両見込み方向に延設され金属上枠１１１の中央壁部１１１ｄの下端面から内障子２の上框２１の室外側面に近接する位置まで延びる断面中空形状の下壁部１１３ｃを有している。
【００１４】
そして、樹脂枠材１１３は、上壁部１１３ａの室内側端部を金属上枠１１１の室内側壁部１１１ｂの室外側上端に形成された係止部に係止するとともに、室外壁部１１３ｂおよび下壁部１１３ｃを中央壁部１１１ｄに形成された係合部１１１ｇに係合することにより、金属上枠１１１の上枠本体部１１１ａの室内側下面と中央壁部１１１ｄの室内側面を覆うとともに、下壁部１１３ｃの室内側端部が内障子２の上框２１の室外側面と近接することで、内、外障子２，３の閉鎖時において内障子２と上枠１１との間の空間が室外側に広く開放することを防いで室内へ冷熱が伝達されることを抑制している。
【００１５】
内、外障子２，３の閉鎖時において金属上枠１１１の外障子３側の内周面に配置される樹脂枠材１１４は、図３に示すように、上枠本体部１１１ａの内周（下）面に沿って配置される上壁部１１４ａと、上壁部１１４ａの室外側から下方に向けて設けられる断面中空形状の室外壁部１１４ｂと、室外壁部１１４ｂの下端より室内外見込み方向に延設され金属上枠１１１の中央壁部１１１ｄの下端面から内障子２の上框２１の室外側面に近接する位置まで延びる断面中空形状の下壁部１１４ｃと、上壁部１１４ａの室内側から下方に向けて設けられる室内壁部１１４ｄを有している。
【００１６】
そして、樹脂枠材１１４は、室内壁部１１４ｄの下端を金属上枠１１１の室内側壁部１１１ｂに形成された気密材取付溝等の上面に係止するとともに、室外壁部１１４ｂおよび下壁部１１４ｃを中央壁部１１１ｄに形成された係合部１１１ｇに係合することにより、金属上枠１１１の室内側壁部１１１ｂと中央壁部１１１ｄとの間に配置され、金属上枠１１１の上枠本体部１１１ａの室内側下面と中央壁部１１１ｄの室内側面と室内側壁部１１１ｂの室外側面を覆っている。
樹脂枠材１１４は、室外壁部１１４ｂおよび下壁部１１４ｃが断面中空形状に形成されることで、また、金属上枠１１１に対して間隔をあけて配置されることで、内、外障子２，３の閉鎖時において外障子３の室内側の金属上枠１１１から室内へ冷熱が伝達されることを抑制することができる。
【００１７】
（下枠の構成）
サッシの枠体１を構成する下枠１２は、図２，３に示すように、建物開口部に固定されアルミニウム等の金属からなる金属下枠１２１と、金属下枠１２１の室内側見付け面に見付け（左右）方向全長に亘って配置され樹脂材料からなる樹脂枠材１２２と、内、外障子２，３の閉鎖時において金属下枠１２１の外障子３側の内周（上）面に配置され樹脂材料からなる樹脂枠材１２３（図３）を有している。
【００１８】
金属下枠１２１は、建物開口部の内周に配置されてアンカーＡ等に取り付けられる下枠本体部１２１ａと、下枠本体部１２１ａの室内側に立ち上り室内側見付け面を構成する立上り部１２１ｂと、立上り部１２１ｂの室内側見付け面が上方に延設されてなる室内側壁部１２１ｃと、立上り部１２１ｂの室外側面上方位置から室外側に向かって延設される気密材保持片部１２１ｄと、下枠本体部１２１ａの室外側上面に設けられる室外側下レール１２１ｅと、下枠本体部１２１ａの室外側端部が上方に屈曲されてなる室外側壁部１２１ｆを有している。
【００１９】
金属下枠１２１の室内側壁部１２１ｃの上端室外側面には、内障子２の下框２２の室内側面に当接する気密材ｓ２１（図２）もしくは後述する下レール部材１２５の固定部１２５ａを覆う気密カバー材ｓ２３（図３）が係合溝等によって取り付けられており、気密材保持片部１２１ｄの室外側端部には、外障子３の下框３２の室内側面に当接する気密材ｓ２２が取付溝等によって取り付けられている。
また、立上り部１２１ｂの上面には、樹脂枠材１２３もしくは室内側下レール１２６を配置するための係合部１２１ｈが形成されているとともに、立上り部１２１ｂおよび室内側壁部１２１ｃの室内側面には、樹脂枠材１２２を取り付けるための係合部１２１ｇが形成されている。
なお、金属下枠１２１の室外側壁部１２１ｆは、金属上枠１１１の室外側壁部１１１ｃとともに、図示しない網戸が走行するレールを構成してもよい。
【００２０】
金属下枠１２１の室内側見付け面に配置される樹脂枠材１２２は、立上り部１２１ｂおよび室内側壁部１２１ｃの係合部１２１ｇに係合されることで、室内側壁部１２１ｃの上端面から室内側面にかけて中空部１２２ａを形成しながら覆うように配置されている
樹脂枠材１２２は、室内側壁部１２１ｃの上端面において気密材ｓ２１もしくは気密カバー材ｓ２３に当接もしくは近接するように配置されることで、金属下枠１２１の室内側壁部１２１ｂが室内側に露出することがない。そして、樹脂枠材１２２の内周室内側端には室内方向に延びる鍔部１２２ｂが形成されている。
【００２１】
樹脂枠材１２３は、立上り部１２１ｂの上面に固定するために室内側に形成された固定部１２３ａと、固定部１２３ａの室外側に延びる平板部１２３ｂを有し、固定部１２３ａを係合部１２１ｈに挿入させながらビス等の固定手段ｂにより固定することで、金属下枠１２１の立上り部１２１ｂの上面から気密材保持片部１２１ｄの上面にかけて覆うように配置されている。
【００２２】
樹脂枠材１２３の固定部１２３ａの上面には、アルミニウム等の金属からなり断面略Ｌ字状の下レール部材１２５が配置され、樹脂枠材１２３と下レール部材１２５の固定部１２５ａがビス等の固定手段により立上り部１２１ｂの上面に共締めされて固定されている。
そして、金属下枠１２１の室内側壁部１２１ｃの係合溝等に気密カバー材ｓ２３が取り付けられて、下レール部材１２５の固定部１２５ａの上面を覆うように配置されている。
樹脂枠材１２３は、気密材保持片部１２１ｄの室外側端部において、気密材ｓ２２に当接もしくは近接するように配置され、下レール部材１２５の固定部１２５ａが気密カバー材ｓ２３に覆われることで、内、外障子２，３の閉鎖時において、外障子３の室内側で金属下枠１２１が室内に露出することがない。
なお、内、外障子２，３の閉鎖状態における内障子２側に配置された室内側下レール１２６と、外障子３側に配置された下レール部材１２５とによって、内障子２の下レールが構成されている。
【００２３】
（左竪枠の構成）
サッシの枠体１を構成する左竪枠１３は、図４に示すように、建物開口部に固定されアルミニウム等の金属からなる金属左竪枠１３１と、金属左竪枠１３１の室内側内周面に見付け（上下）方向全長に亘って配置され樹脂材料からなる樹脂枠材１３２を有している。
【００２４】
金属左竪枠１３１は、建物開口部の内周に配置されアンカーＡ等に取り付けられる左竪枠本体部１３１ａと、左竪枠本体部１３１ａの室内側端内周面から内周方向に延び樹脂枠材１３２を係合するための係合片部１３１ｂと、左竪枠本体部１３１ａの見込み方向略中央やや室外側寄りから内周方向に延設された気密材取付部１３１ｃと、気密材取付部１３１ｃの室外側で左竪枠本体部１３１ａの内周面から内周方向に延設された引寄せ片部１３１ｄと、左竪枠本体部１３１ａの室外側端内周面から内周方向に延設された室外側壁部１３１ｅを有している。
【００２５】
金属左竪枠１３１の気密材取付部１３１ｃの室外側面には、外障子３の戸先框３３の室内側面に当接する気密材ｓ３２が取付溝等により取り付けられており、気密材取付部１３１ｃの室内側面には、樹脂枠材１３２の室外側端部を係止する係止部が形成されている。
【００２６】
金属左竪枠１３１の室内側内周面に配置される樹脂枠材１３２は、複数の中空部を有しており、金属左竪枠１３１の係合片部１３１ｂと気密材取付部１３１ｃの係止部等によって金属左竪枠１３１の気密材取付部１３１ｃの室内側の内周面を覆うように配置されており、内、外障子２，３の閉鎖時において、金属左竪枠１３１の内周面から室内に冷熱が伝達されることを抑制している。
なお、室内側内周端から室内方向に延びる鍔部１３２ｃが形成されている。
【００２７】
（右竪枠の構成）
サッシの枠体１を構成する右竪枠１４は、図４に示すように、建物開口部に固定されアルミニウム等の金属からなる金属右竪枠１４１と、金属右竪枠１４１の室内側内周面に見付け（上下）方向全長に亘って配置され樹脂材料からなる樹脂枠材１４２を有している。
【００２８】
金属右竪枠１４１は、建物開口部の内周に配置されアンカーＡ等に取り付けられる右竪枠本体部１４１ａと、右竪枠本体部１４１ａの室内側内周面から内周方向に延びる室内側壁部１４１ｂと、室内側壁部１４１ｂの室外側において右竪枠本体部１４１ａの内周面から内周方向に延設された引寄せ片部１４１ｃと、右竪枠本体部１４１ａの見込み方向ほぼ中央位置の内周面から内周方向に延設された中央壁部１４１ｄと、右竪枠本体部１４１ａの室外側端から内周方向に延設された室外側壁部１４１ｅを有している。
【００２９】
金属右竪枠１４１の室内側壁部１４１ｂの室外側面には、内障子２の戸先框２４の室内側面に当接する気密材ｓ４１が取付溝等により取り付けられており、室内側面には、樹脂枠材１４２を係止する係合部１４１ｆが形成されている。
【００３０】
金属右竪枠１４１の室内側見付け面に配置される樹脂枠材１４２は、室内側壁部１４１ｂの係合部１４１ｆに係合されることで、室内側壁部１４１ｂの内周端部から室内側面にかけて中空部１４２ａを形成しながら覆うように配置されている。
樹脂枠材１４２は、室内側壁部１４１ｂの内周端部において気密材ｓ４１に当接もしくは近接するように配置されることで、金属右竪枠１４１の室内側壁部１４１ｂが室内側に露出することがない。そして、樹脂枠材１４２の内周室内側端には室内方向に延びる鍔部１４２ｂが形成されている。
【００３１】
（上框の構成）
内、外障子２，３を構成する上框２１，３１は、構造上ほぼ同一であるので、ここでは内障子２の上框２１を用いて説明する。
内障子２を構成する上框２１は、図２に示すように、アルミニウム等の金属からなる金属上框２１１と、金属上框２１１の室内側面に配置される樹脂上框２１２を有している。
【００３２】
金属上框２１１は、上框本体部２１１ａと、上框本体部２１１ａの内周（下方）に連設されるガラス間口部２１１ｂを有しており、上框本体部２１１ａの上端室内側とガラス間口部２１１ｂの下端室内側には、樹脂上框２１２を係止する上下の係止部が形成されている。
樹脂上框２１２は、上框本体部２１１ａの室内側面に配置される上方壁部２１２ａと、ガラス間口部２１１ｂの室内側面に配置される下方壁部２１２ｃと、上方壁部２１２ａと下方壁部２１２ｃとを連結する見込み壁部２１２ｂを有しており、上方壁部２１２ａと下方壁部２１２ｃには、それぞれ上、下中空部２１２ｄ，２１２ｅが形成されている。
【００３３】
そして、上框本体部２１１ａの上端室内側とガラス間口部２１１ｂの下端室内側に形成される上下の係止部に対して係止されることで、樹脂上框２１２は金属上框２１１に対して空間を有して室内側に配置され、該空間および上、下中空部２１２ｄ，２１２ｅによって、内障子２の上框２１の断熱性能を向上させている。
【００３４】
また、内、外障子２，３の閉鎖時において、上枠１１の室内側壁部１１１ｂに取り付けられた気密材ｓ１１が内障子２の上框２１の樹脂上框２１２の室内側に当接し、上枠１１の中央壁部１１１ｄに取り付けられた気密材ｓ１２が外障子３の上框３１の樹脂上框３１２の室内側に当接することで、上枠１１と内、外障子２，３の上方部位における気密ラインを構成している。
【００３５】
（下框の構成）
内障子２を構成する下框２２は、図２に示すように、アルミニウム等の金属からなる金属下框２２１と、金属下框２２１の室内側面に配置される樹脂材料からなる樹脂下框２２２を有している。
金属下框２２１は、下枠１２に設けられた下レールに案内される車輪（図示はない。）を収納する下框本体部２２１ａと、下框本体部２２１ａの内周に連設されるガラス間口部２２１ｂを有しており、下框本体部２２１ａの下端室内側とガラス間口部２２１ｂの上端室内側には、樹脂下框２２２を係止する上下の係止部が形成されている。
樹脂下框２２２は、複数の中空部を有し、金属下框２２１に形成される上下の係止部に係止され金属下框２２１の室内側に配置されることで、複数の中空部が下框本体部２２１ａ及びガラス間口部２２１ｂの室内側に配置され、内障子２の下框２２の断熱性能を向上させている。
【００３６】
外障子３を構成する下框３２は、図２，３に示すように、アルミニウム等の金属からなる金属下框３２１と、金属下框３２１の室内側に配置される樹脂材料からなる樹脂下框３２２を有している。
金属下框３２１は、下枠１２に設けられた室内側レールに案内される車輪ｗを収納する下框本体部３２１ａと、下框本体部３２１ａの内周に連設されるガラス間口部３２１ｂを有しており、下框本体部３２１ａの下端室内側とガラス間口部３２１ｂの上端室内側には、樹脂下框３２２を係止する上下の係止部が形成されている。
樹脂下框３２２は、複数の中空部を有し、金属下框３２１に形成される上下の係止部に係止され金属下框３２１の室内側に配置されることで、複数の中空部が下框本体部３２１ａ及びガラス間口部３２１ｂの室内側に配置され、外障子３の下框３２の断熱性能を向上させている。
【００３７】
（戸先框の構成）
内、外障子２，３を構成する戸先框２４，３３は、構造上ほぼ同一であるので、ここでは内障子２の戸先框２４を用いて説明する。
内障子２を構成する戸先框２４は、図４に示すように、アルミニウム等の金属からなる金属戸先框２４１と、金属戸先框２４１の室内側面に配置され樹脂材料からなる樹脂戸先框２４２を有している。
【００３８】
金属戸先框２４１は、戸先側に引寄せブロックｆを装着する開口溝が形成された戸先框本体部２４１ａと、戸先框本体部２４１ａの内周に連設されるガラス間口部２４１ｂを有しており、戸先框本体部２４１ａの開口溝に引寄せブロックｆが配置されるとともに、開口溝を構成する室外側壁の戸先側先端部には右竪枠１４との間を気密する気密材ｓ４２が取り付けられている。
戸先框本体部２４１ａの開口溝を構成する室内側壁の戸先側先端部およびガラス間口部２４１ｂの室内側内周端部には、樹脂戸先框２４２を係止する係止部が形成されている。
【００３９】
樹脂戸先框２４２は、戸先框本体部２４１ａの室内側面を覆う戸先側部２４２ａとガラス間口部２４１ｂの室内側面を覆う間口側部２４２ｃと戸先側部２４２ａと間口側部２４２ｃとを連結する見込み方向に延びる断面中空形状の見込み壁部２４２ｂを有している。
そして、戸先框本体部２４１ａおよびガラス間口部２４１ｂに形成される係止部に係止されて金属戸先框２４１の室内側に配置されることで戸先框２４の断熱性能を向上させている。
また、内、外障子２，３の閉鎖状態において、右竪枠１４と内障子２との間においては、樹脂材料からなる樹脂戸先框２４２の戸先側部２４２ａと見込み壁部２４２ｂ及び右竪枠１４の樹脂枠材１４２とによって半密閉もしくは密閉空間Ｓを形成し、左竪枠１３と外障子３との間においては、樹脂材料からなる樹脂戸先框３３２の戸先側部３３２ａと見込み壁部３３２ｂ及び左竪枠１３の樹脂枠材１３２とによって半密閉もしくは密閉空間Ｓを形成し、枠と障子間における断熱性能を向上させている。
【００４０】
（召合框の構成）
内障子２を構成する召合框２３は、図４に示すように、アルミニウム等の金属からなる金属召合框２３１と、金属召合框２３１の外周側面および室内側面に配置される樹脂部材からなる樹脂召合框２３２を有している。
金属召合框２３１は、中空部を有し室外側面に気密材ｓ５２が取り付けられるとともにＬ形片が形成された召合框本体部２３１ａと、召合框本体部２３１ａの内周に連設されるガラス間口部２３１ｂを有しており、召合框本体部２３１ａとガラス間口部２３１ｂの外周側面および室内側面には、樹脂召合框２３２を係止する複数の係止部が形成されている。
樹脂召合框２３２は、見込み方向および見付け方向にならぶ複数の中空部を有し、金属召合框２３１に形成される係止部に係止され金属召合框２３１の外周側面から室内側面にかけて配置されることで、金属召合框２３１との間に複数の空間を形成するとともに、中空部を配置した状態で固定されることで召合框２３の断熱性能を向上させている。
【００４１】
外障子３を構成する召合框３４は、図４に示すように、アルミニウム等の金属からなる金属召合框３４１と、金属召合框３４１の室内側の内周部に配置される樹脂材料からなる樹脂召合框３４２を有している。
金属召合框３４１は、中空部を有し室内側面に内障子２の金属召合框２３１の室外側面に形成されたＬ形片と協働して煙返しを形成するＬ形片が形成された召合框本体部３４１ａと、召合框本体部３４１ａの内周に連設されるガラス間口部３４１ｂを有しており、ガラス間口部３４１ｂを構成する室内側の間口壁は中空部を有している。
【００４２】
樹脂召合框３４２は、金属召合框３４１のガラス間口部３４１ｂの室内側の間口壁の内周端に取り付けられており、内、外障子３の閉鎖状態において、内障子２の召合框２３に取り付けられた気密材ｓ５２が当接することで、外障子３の召合框３４の金属召合框３４１が室内側に露出することを抑制して、断熱性能を向上させている。
【００４３】
（外障子部分の断熱構造）
以上のように、本実施形態の断熱サッシにおいては、枠体１および内、外障子２，３を構成する枠材および框材が、金属部材の室内側に樹脂部材が配置されて形成されているので、枠体１および内、外障子２，３における断熱性能を向上させることができる。
そして、本実施形態の断熱サッシにおいては、外障子３のパネル体２５を構成する内外２枚のガラス板の間隔をできるだけ広くすることで、内外ガラス間の断熱性能を向上させてサッシ全体の断熱性能をさらに向上させている。
以下に、上記断熱性能を向上させるための構成について、図５、６に示す、外障子の框材の構成を用いて、説明する。
【００４４】
（外障子の上框部分）
外障子３の上框３１を構成する金属上框３１１は、図５に示すように、上枠１１の金属上枠１１１の上枠本体部１１１ａの下面に形成される室外側上レール１１１ｅに案内される走行溝を形成する上框本体部３１１ａと、上框本体部３１１ａの内周（下方）に連設されるガラス間口部３１１ｂを有している。
上框本体部３１１ａは、中空部３１１ｃと、中空部３１１ｃの室内側壁部および室外側壁部が上方に延設されてなる室内壁部３１１ｄと室外壁部３１１ｅを有している。
【００４５】
上框本体部３１１ａの室外側面は、中空部３１１ｃから室外壁部３１１ｅにかけて面一に形成されている。一方、上框本体部３１１ａの室内側面は、室内壁部３１１ｄの室内側面の上端に樹脂上框３１２を係止する係止部３１１ｆが形成されており、係止部３１１ｆの下方位置には、樹脂上框３１２の上中空部３１２ｄが配置される凹部３１１ｇが形成されている。
【００４６】
ガラス間口部３１１ｂは、上框本体部３１１ａの下壁が室内側に延設されてなる上壁部３１１ｈと、上壁部３１１ｈの室外側端から垂下する室外側間口壁部３１１ｉと上壁部３１１ｈの室内側端から垂下する室内側間口壁部３１１ｊを有している。
ガラス間口部３１１ｂの室外側間口壁部３１１ｉは、上框本体部３１１ａの中空部３１１ｃおよび室外壁部３１１ｅと面一に連続する上方部位と、上方部位から若干室外側に傾斜する傾斜部位と、傾斜部位の下方に連続する下方部位とからなり、全体として上框本体部３１１ａの室外側面から室外方向に水平に突出することなく、スムーズな室外側壁面を形成している。
【００４７】
一方、ガラス間口部３１１ｂの室内側間口壁部３１１ｊは、上框本体部３１１ａの中空部３１１ｃから室内方向に延設される上壁部３１１ｈの室内側端が下方に屈曲されてなり室内側間口壁部３１１ｊの下端には、樹脂上框３１２の下端を係止する係止部３１１ｋが形成されている。
【００４８】
外障子３の上框３１を構成する樹脂上框３１２は、金属上框３１１の上框本体部３１１ａの室内側に配置される上方壁部３１２ａと、金属上框３１１のガラス間口部３１１ｂの室内側に配置される下方壁部３１２ｃと、上方壁部３１２ａと下方壁部３１２ｃとを連結する見込み壁部３１２ｂを有している。
上方壁部３１２ａおよび下方壁部３１２ｃには、それぞれ上中空部３１２ｄおよび下中空部３１２ｅを有しており、金属上框３１１の上下の係止部３１１ｆ，３１１ｋに係止され金属上框３１１の室内側に配置されることで、上中空部３１２ｄが上框本体部３１１ａの室内側の凹部３１１ｇに配置され下中空部３１２ｅかガラス間口部３１１ｂの室内側に配置されるとともに、金属上框３１１に対して空間を有して配置される。
【００４９】
そして、上枠１１の中央壁部１１１ｄに取り付けられた気密材ｓ１２が外障子３の樹脂上框３１２の上方壁部３１２ａの室内側面、すなわち上框３１の室内側に張り出したガラス間口部３３１ｂの外周側に当接している。また、樹脂枠材１１４の下壁部１１４ｃの室外側端には上方壁部３１２ａに近接する気密突起ｓ１３が形成されており、気密材ｓ１２と気密突起ｓ１３とによって上枠１１と外障子３との気密ラインが形成されている。
気密ラインの室内側には、上枠１１の樹脂枠材１１４の下壁部１１４ｃの下面と外障子３の上框３１の樹脂上框３１２の見込み壁部３１２ｂの上面とによって囲まれた領域が形成されることによって、外気に接触している気密ラインを室内からより遠ざけることができ、室外からの冷熱の伝達を抑制することができる。
【００５０】
（外障子の下框部分）
外障子３の下框３２を構成する金属下框３２１は、図６に示すように、下枠１２の下枠本体部１２１ａの上面に形成される室外側下レール１２１ｅに案内される車輪ｗを収納する下框本体部３２１ａと、下框本体部３２１ａの内周に連設されるガラス間口部３２１ｂを有している。
下框本体部３２１ａは、中空部３２１ｃと、中空部３２１ｃの室内側壁部および室外側壁部が下方に延設されてなる室内壁部３２１ｄと室外壁部３２１ｅを有している。
【００５１】
下框本体部３２１ａの室外側面は、中空部３２１ｃから室外壁部３２１ｅにかけて面一に形成されている。一方、下框本体部３２１ａの室内側面は、中空部３２１ｃの下方に連続する室内壁部３２１ｄの室内側面に樹脂下框３２２を係止する係止部３２１ｆが形成されている。
なお、下框本体部３２１ａの下方内面には、外障子３が室外側に脱落するのを防止する外れ止め部材６が固定されている。
【００５２】
ガラス間口部３２１ｂは、下框本体部３２１ａの上壁が室内側に延設されてなる下壁部３２１ｇと、下壁部３２１ｇの室外側端から上方に延設する室外側間口壁部３２１ｈと下壁部３２１ｇの室内側端から上方に延設する室内側間口壁部３２１ｉを有している。
ガラス間口部３２１ｂの室外側間口壁部３２１ｈは、下框本体部３２１ａの中空部３２１ｃから若干室外側に傾斜する傾斜部位と、傾斜部位の上方に連続する上方部位とからなり、全体として下框本体部３２１ａの室外側面から水平に突出することなく、スムーズな室外側壁面を形成している。
【００５３】
一方、ガラス間口部３２１ｂの室内側間口壁部３２１ｉは、下框本体部３２１ａの中空部３１１ｃから室内側に延設される下壁部３２１ｇの室内側端が上方に屈曲して形成されてなり、室内側間口壁部３２１ｉの上端には、樹脂下框３２２の上端を係止する係止部３２１ｋが形成されている。
【００５４】
外障子３の下框３２を構成する樹脂下框３２２は、金属下框３２１の下框本体部３２１ａの室内側面を覆う室外側壁３２２ａと、室外側壁３２２ａの上方部位に対して見込み方向に所定の寸法を有する中空部３２２ｂと、中空部３２２ｂの上面室内側から上方に延びて金属下框２２１のガラス間口部３２１ｂの室内側面を覆う断面中空形状の室内側壁３２２ｃを有している。
【００５５】
一方、下枠１２の気密材保持片部１２１ｄに取り付けられた気密材ｓ２２が外障子３の樹脂下框３２２の室外側壁３２２ａの室内側面、すなわち下框３２の室内側に張り出したガラス間口部３３１ｂおよび樹脂下框３２２の中空部３２２ｂの外周側に当接しており、気密材ｓ２２によって下枠１２と外障子３との気密ラインが形成されている。
気密ラインの室内側には、下枠１２の樹脂枠材１２３の内周面と外障子３の樹脂下框３２２の中空部３２２ｂのほぼ水平で面一な外周面とによって囲まれた領域を形成することによって、外気に接触している気密ラインを室内からより遠ざけることができ、室外からの冷熱の伝達を抑制することができる。
【００５６】
以上のように、本実施形態における断熱サッシの外障子３においては、ガラス部分における断熱性能を向上させるために複層ガラス等からなるパネル部分の見込み方向寸法を大きくし、ガラス間口部の見込み寸法を大きく設定しながら、見込み方向に大きくなった分についてガラス間口部を框室内側に張り出させて形成することで、外障子３の室外側面をほぼ面一のスムーズな形状に形成して、見込み方向に張り出す部分をなくしているので、外障子３の室外側面における外気の流れをスムーズにして、外気からの外障子３への冷熱の伝達を最小限に抑えることができる。
【００５７】
そして、上、下枠１１，１２に配置した気密材ｓ１２，ｓ２２を、上、下框３１，３２の室内側に張り出した部分の外周側において樹脂框材の室内側部位に当接させることで、気密材よりも室内側において、上、下框３１，３２の張り出し部分における樹脂上框３１２，樹脂下框３２２の見込み面と上、下枠１１，１２の樹脂枠材１１４，１２３の見込み面とによって囲まれる領域を形成することで、気密ラインを室内側から遠ざけて断熱性能を向上させることができる。
【００５８】
なお、本実施形態の断熱サッシにおいては、引き違いのサッシを例にして説明しているが、枠体の室外側寄りに障子が配置される片引きのサッシでもよく、上下に摺動する上げ下げ窓でもよい。
【符号の説明】
【００５９】
１        ：枠体
１１      ：上枠
１１１    ：金属上枠
１１２    ：樹脂枠材
１１３    ：樹脂枠材
１１４    ：樹脂枠材
１２      ：下枠
１２１    ：金属下枠
１２２    ：樹脂枠材
１２３    ：樹脂枠材
１２５    ：下レール部材
１２６    ：室内側下レール
１３      ：左竪枠
１３１    ：金属左竪枠
１３２    ：樹脂枠材
１４      ：右竪枠
１４１    ：金属右竪枠
１４２    ：樹脂枠材
２        ：内障子
２１      ：上框
２１１    ：金属上框
２１２    ：樹脂上框
２２      ：下框
２２１    ：金属下框
２２２    ：樹脂下框
２３      ：召合框
２３１    ：金属召合框
２３２    ：樹脂召合框
２４      ：戸先框
２４１    ：金属戸先框
２４２    ：樹脂戸先框
２５      ：パネル体
３        ：外障子
３１      ：上框
３１１    ：金属上框
３１１ａ  ：上框本体部
３１１ｂ  ：ガラス間口部
３１１ｃ  ：中空部
３１１ｄ  ：室内壁部
３１１ｅ  ：室外壁部
３１１ｆ  ：係止部
３１１ｇ  ：凹部
３１１ｈ  ：上壁部
３１１ｉ  ：室外側間口壁部
３１１ｊ  ：室内側間口壁部
３１１ｋ  ：係止部
３１２    ：樹脂上框
３１２ａ  ：上方壁部
３１２ｂ  ：見込み壁部
３１２ｃ  ：下方壁部
３１２ｄ  ：上中空部
３１２ｅ  ：下中空部
３２      ：下框
３２１    ：金属下框
３２１ａ  ：下框本体部
３２１ｂ  ：ガラス間口部
３２１ｃ  ：中空部
３２１ｄ  ：室内壁部
３２１ｅ  ：室外壁部
３２１ｆ  ：係止部
３２１ｇ  ：下壁部
３２１ｈ  ：室外側間口壁部
３２１ｉ  ：室内側間口壁部
３２１ｋ  ：係止部
３２２    ：樹脂下框
３２２ａ  ：室外側壁
３２２ｂ  ：中空部
３２２ｃ  ：室内側壁
３３      ：戸先框
３４      ：召合框
【図１】
2018168673.tif 000003
【図２】
2018168673.tif 000004
【図３】
2018168673.tif 000005
【図４】
2018168673.tif 000006
【図５】
2018168673.tif 000007
【図６】
2018168673.tif 000008